(57)【特許請求の範囲】
【請求項１】
外壁躯体に形成された開口部に、前記外壁躯体の表面より奥側にサッシ枠が取り付けられ、前記外壁躯体の表面に、第１隙間をもって外装材が取り付けられた外壁開口部構造において、
前記開口部の上縁部に断面略Ｌ型の役物外装材が設けられており、この役物外装材の一端部が、前記開口部の上辺部に位置する前記外装材の下端部に第１シーリング材を介して接続されており、前記役物外装材の他端部が前記サッシ枠の上枠に第２シーリング材を介して接続されており、
前記役物外装材と前記外壁躯体との間には、前記第１隙間に連通する第２隙間が設けられており、
前記第１隙間から第２隙間に流れた水を、前記第２隙間から排水する排水手段が設けられており、
前記排水手段が、前記第２隙間に所定の水勾配をもって横方向に延在するようにして設けられた樋であり、
この樋が凹溝部と、凹溝部から上方に延出する取付部とを有し、この取付部が前記外壁躯体の表面に取り付けられ、前記凹溝部の前面が前記役物外装材の内面に当接していることを特徴とする外壁開口部構造。
【請求項２】
請求項１に記載の外壁開口部構造において、
前記外壁躯体は、壁状の躯体本体と、この躯体本体に形成された開口部内周面に突出固定された調整材とを備え、
この調整材の前面は、前記躯体本体の前面より内側に位置しており、この調整材の前面に前記サッシ枠が取り付けられることにより、前記サッシ枠が前記躯体本体の前面より内側に取り付けられていることを特徴とする外壁開口部構造。
【発明の詳細な説明】
【技術分野】
【０００１】
本発明は、外壁躯体に形成された開口部にサッシ枠が設けられた外壁開口部構造に関する。
【背景技術】
【０００２】
建物の外壁躯体に形成された開口部に、前記外壁躯体の表面より奥側にサッシ枠が取り付けられた外壁開口部構造の一例として特許文献１に記載の技術が知られている。
この技術では、建物の外壁は、外壁躯体としての壁パネルと、この壁パネルの室外面に設けられた外壁仕上げ材としての外装材と、壁パネルの室内面に設けられた内部仕上げ材としての石膏ボード等の内装材とを有して構成されている。
壁パネルは、格子状等に組んだパネル芯材と、このパネル芯材の室外側に固定されたパネル面材とで形成されている。また、外装材は、壁パネルの室外面にモルタルを所定厚さに吹きつけて形成されている。
この外壁には、矩形状の開口部が設けられており、縦辷り出し窓は、開口部内における外壁の室外面よりも見込み方向室内寄りに設けられた、いわゆる内付けサッシ窓である。
また、前記特許文献１では、外装材をモルタルに代えて、サイディング等のパネル材による乾式工法で構成した例が記載されている。パネル材には室内側に折れ曲がった折曲部が形成されている。
【特許文献１】特開２００６−８３６６０号公報
【発明の開示】
【発明が解決しようとする課題】
【０００３】
ところで、モルタルで形成された外装材は、外壁躯体の表面にほぼ密着しているので、外壁躯体とモルタル製外装材との間に雨水等の水が浸入することは殆どないが、外装材がサイディング等の乾式工法によるものである場合、外壁躯体とサイディングとの間に、通気や排水のための隙間を設けている。
一方、外壁躯体に形成された開口部に、外壁躯体の表面より奥側にサッシ枠が取り付けられた、いわゆる内付けサッシ窓の場合、サイディングの下端部がサッシ枠の上枠に向けて折れ曲がっている。
したがって、外壁躯体とサイディング（外装材）との間の隙間を下方に流れてきた雨水等の水が下端の折れ曲がったサイディングの部分に溜まり易いという問題がある。
【０００４】
本発明は上記事情に鑑みてなされたもので、外壁躯体と外装材との間の隙間を下方に流れてきた水がサッシ枠の上枠近傍の外装材の内側で滞留するのを防止できる外壁開口部構造を提供することを課題としている。
【課題を解決するための手段】
【０００５】
上記課題を解決するために、請求項１に記載の発明は、例えば図１に示すように、外壁躯体１に形成された開口部３に、前記外壁躯体１の表面より奥側にサッシ枠５が取り付けられ、前記外壁躯体１の表面に、第１隙間Ｓ１をもって外装材６が取り付けられた外壁開口部構造において、
前記開口部３の上縁部に断面略Ｌ型の役物外装材８が設けられており、この役物外装材８の一端部が、前記開口部３の上辺部に位置する前記外装材６の下端部に第１シーリング材９を介して接続されており、前記役物外装材８の他端部が前記サッシ枠５の上枠に第２シーリング材１０を介して接続されており、
前記役物外装材８と前記外壁躯体１との間には、前記第１隙間Ｓ１に連通する第２隙間Ｓ２が設けられており、
前記第１隙間Ｓ１から第２隙間Ｓ２に流れた水を、前記第２隙間Ｓ２から排水する排水手段１１が設けられており、
前記排水手段１１が、前記第２隙間Ｓ２に所定の水勾配をもって横方向に延在するようにして設けられた樋１１であり、
この樋１１が凹溝部１１ａと、凹溝部１１ａから上方に延出する取付部１１ｂとを有し、この取付部１１ｂが前記外壁躯体２の表面に取り付けられ、前記凹溝部１１ｂの前面が前記役物外装材８の内面に当接していることを特徴とする。
【０００６】
請求項１に記載の発明によれば、第１隙間Ｓ１から第２隙間Ｓ２に流れた水を、第２隙間Ｓ２から排水する排水手段１１が設けられているので、外壁躯体１と外装材６との間の第１隙間Ｓ１を下方に流れてきた水は第２隙間Ｓ２から排水手段１１によって排水される。したがって、サッシ枠５の上枠近傍の役物外装材８の内側で滞留するのを防止できる。
【０００８】
また、第１隙間Ｓ１から第２隙間Ｓ２に流れた水は、樋１１によって横方向に流れ、サッシ枠５の上枠の端部より外側で、外壁躯体１と外装材６との間の第１隙間Ｓ１を下方に流れていく。したがって、水がサッシ枠５の上枠近傍の役物外装材８の内側で滞留するのを確実に防止できる。
【００１３】
請求項２に記載の発明は、請求項１に記載の外壁開口部構造において、
前記外壁躯体１は、壁状の躯体本体２と、この躯体本体２に形成された開口部内周面に突出固定された調整材４とを備え、
この調整材４の前面は、前記躯体本体２の前面より内側に位置しており、この調整材４の前面に前記サッシ枠５が取り付けられることにより、前記サッシ枠５が前記躯体本体２の前面より内側に取り付けられていることを特徴とする。
【００１４】
請求項２に記載の発明によれば、調整材４の前面が、躯体本体２の前面より内側に位置しており、この調整材４の前面に前記サッシ枠５が取り付けられることにより、前記サッシ枠５が前記躯体本体２の前面より内側に取り付けられているので、第２隙間Ｓ２の幅を大きくとることができる。したがって、第２隙間Ｓ２の通気性が向上するので、第２隙間Ｓ２に水が滞留するのを防止できる。
【発明の効果】
【００１５】
本発明によれば、一端部が、外壁躯体に形成された開口部の上辺部に位置する外装材の下端部に第１シーリング材を介して接続され、他端部がサッシ枠の上枠に第２シーリング材を介して接続された役物外装材と、外壁躯体との間に、第１隙間に連通する第２隙間が設けられており、第１隙間から第２隙間に流れた水を、第２隙間から排水する排水手段が設けられているので、外壁躯体と外装材との間の第１隙間を下方に流れてきた水は第２隙間から排水手段によって排水される。したがって、サッシ枠の上枠近傍で滞留するのを防止できる。
【発明を実施するための最良の形態】
【００１６】
以下図面を参照して本発明の実施の形態について説明する。
（第１の実施の形態）
図１は、本発明に係る外壁開口部構造の第１例を示す縦断面図である。図１において符号１は、外壁躯体を示す。この外壁躯体１は、壁状の躯体本体２と、この躯体本体２に形成された開口部３の内周面に突出固定された調整材４とを備えている。
【００１７】
躯体本体２は、木質の壁パネル２によって構成されたものである。壁パネル２は、框材２ａを矩形状に枠組みするとともに、この矩形枠の内部に必要に応じて補強桟材を縦横に組み付け、さらに矩形枠の表裏両面にそれぞれ合板等からなる面材２ｂ，２ｂを貼設して構成されている。
調整材４は木質の角材によって構成されたものであり、開口部３の上縁部では２本、下縁部では１本それぞれ取り付けられている。また、図示は省略するが開口部４の側縁部では調整材４が１本取り付けられている。
【００１８】
調整材４の前面（図１において左面）は、躯体本体２の表面より内側（図１において右側）に位置しており、この調整材４にサッシ枠５が取り付けられている。サッシ枠５の上枠は、縦片部５ａと横片部５ｂとで構成された断面略Ｌ字状に形成されており、縦片部５ａがビスによって調整材４の前面に固定されており、横片部５ｂがビスによって調整材４の下面に固定されている。
サッシ枠５の下枠は、上枠と同様に、縦片部５ａと横片部５ｂとで構成された断面略Ｌ字状に形成されており、縦片部５ａがビスによって調整材４の前面に固定されており、横片部５ｂがビスによって調整材４の上面に固定されている。また、調整材４の前面には、水切り部材５ｃが取り付けられており、この水切り部材５ｃの先端部は、外装材６の表面側において下方に折曲されている。
このようにして、外壁躯体１に形成された開口部３に、前記外壁躯体１の表面より奥側にサッシ枠５が取り付けられている。
なお、調整材４の後面は、躯体本体２の裏面とほぼ面一となっており、この躯体本体２の裏面と調整材４の後面とには、石膏ボードが取り付けられている。
【００１９】
前記躯体本体２の表面には、第１隙間Ｓ１をもって外装材６が取り付けられている。つまり、躯体本体２の表面には、図示しない胴縁が固定されており、この胴縁に外装材６を固定することによって、外装材６と躯体本体２の表面との間に第１隙間Ｓ１が設けられている。なお、躯体本体２の表面には、透湿防水シート７が貼り付けられている。また、胴縁は横方向に所定間隔を隔てて設けられている。
外装材６は長方形板状のものであり、これが躯体本体２の表面に横方向に複数枚並べて取り付けられている。そして、躯体本体２に形成された開口部３の上辺部においては、外装材６の下端部が開口部３の上辺部とほぼ同じ高さ位置となっている。
【００２０】
躯体本体２の開口部３の上縁部には、断面略Ｌ型の役物外装材８が設けられている。この役物外装材８の一端部は、開口部３の上辺部に位置する外装材６の下端部に第１シーリング材９を介して接続されており、役物外装材８の他端部がサッシ枠５の上枠の縦片部５ａに第２シーリング材１０を介して接続されている。なお、第２シーリング材１０はＥＰＤＭゴム発泡体で形成されたエプトシーラーである。
役物外装材８と外壁躯体１の調整材４との間には、第２隙間Ｓ２が設けられており、この第２隙間Ｓ２は前記第１隙間Ｓ１と連通している。
【００２１】
また、第２隙間Ｓ２には、第１隙間Ｓ１から第２隙間Ｓ２に流れた水を、第２隙間Ｓ２から排水する排水手段１１が設けられている。
この排出手段１１は、所定の水勾配をもって横方向に延在するようにして設けられた樋１１である。この樋１１は、凹溝部１１ａと、樋１１を取り付けるための取付部１１ｂとを有しており、取付部１１ｂは凹溝部１１ａから上方に延出している。そして、この取付部１１ｂが躯体本体２の表面に取り付けられることによって、凹溝部１１ａが役物外装材８の内側、つまり第２隙間Ｓ２に設けられている。なお、取付部１１ｂは透湿防水シート７の下から躯体本体２の表面に取り付けられている。
凹溝部１１ａの前面は役物外装材８の内面に当接している。また、この凹溝部１１ａは前記開口部３の一方の側縁部から他方の側縁部にかけて延在しており、所定の水勾配が設けられている。例えば、凹溝部１１ａの下面は、開口部３の一方の側縁部から他方の側縁部にかけて下方に傾斜するか、または、開口部３の一方の側縁部と他方の側縁部の中央部から、それぞれ一方の縁部および他方の縁部に向けて下方に傾斜している。したがって、凹溝部１１ａにある水は水勾配に沿って流れて、凹溝部１１ａの端部から外側に流れ出て、躯体本体２と外装材６との間の第１隙間Ｓ１を下方に流れていくようになっている。
【００２２】
本実施の形態によれば、第１隙間Ｓ１を下方に流れる雨水や結露水等の水は、第２隙間Ｓ２に設けられた樋１１の凹溝部１１ａに流れ込み、さらに、凹溝部１１ａをその水勾配に沿って流れ、凹溝部１１ａの端部から外側に流れ出て、躯体本体２と外装材６との間の第１隙間Ｓ１を下方に流れていくことによって排水される。したがって、水がサッシ枠５の上枠近傍の役物外装材８の内側で滞留するのを確実に防止できる。
また、調整材４の前面が、躯体本体２の前面より内側に位置しており、この調整材４に前記サッシ枠５が取り付けられているので、第２隙間Ｓ２の幅を大きくとることができる。したがって、第２隙間Ｓ２の通気性が向上するので、第２隙間Ｓ２に水が滞留するのを防止できる。
【図面の簡単な説明】
【００２７】
【図１】本発明に係る外壁開口部構造の一例を示す縦断面図である。
【符号の説明】
【００２８】
１  外壁躯体
２  躯体本体
３  開口部
４  調整材
５  サッシ枠
６  外装材
８  役物外装材
９  第１シーリング材
１０  第２シーリング材
１１  排水手段（樋）
１２  第２シーリング材（排水手段）
１３  誘導樋
Ｓ１  第１隙間
Ｓ２  第２隙間
【図１】
0005068982.tif 000002